(57)【要約】【課題】レンズ鏡胴本体内のレンズの位置を検出するための抵抗体基板を配設する際に、抵抗体基板の外周端面からゴミが脱落しない構造にする。【解決手段】レンズの光軸方向における位置を検出するレンズ位置検出手段は、レンズを保持する移動枠の外周に突設された移動接点部と、前記移動接点部が摺動する抵抗体基板１１０と、抵抗体基板１１０を保持するとともに、レンズ鏡胴本体の外周に取付けられた抵抗体基板固定枠１２０とを有し、抵抗体基板固定枠１２０は、前記移動接点部を光軸方向に移動自在に挿通させて移動接点部を抵抗体基板１１０の抵抗体に接触させるための長孔１２１と、抵抗体基板１１０の外周端面１１８を囲む側壁部１２２を含んで構成されている。【選択図】図５
2011033811.tif 000002
【特許請求の範囲】
【請求項１】
レンズ鏡胴本体に対して光軸方向に移動自在に配設されたレンズと、前記レンズの光軸方向における位置を検出するレンズ位置検出手段とを備えたレンズ装置において、
前記レンズ位置検出手段は、
前記レンズを保持する移動枠の外周に突設された移動接点部と、
前記移動接点部が摺動する抵抗体を含む基板と、
前記基板を保持するとともに、前記レンズ鏡胴本体の外周に取付けられた枠体と、
を有し、
前記枠体は、前記移動接点部を前記光軸方向に移動自在に挿通させて前記移動接点部を前記基板の前記抵抗体に接触させるための長孔と、前記基板の外周端面を囲む側壁部とを含むことを特徴とするレンズ装置。
【請求項２】
前記基板は、ガラスエポキシ樹脂を含むことを特徴とする請求項１に記載のレンズ装置。
【請求項３】
前記基板の全外周端面と前記枠体の前記側壁部との間に隙間が設けられ、該隙間に充填材が充填されていることを特徴とする請求項１又は２に記載のレンズ装置。
【請求項４】
前記レンズは、変倍レンズであることを特徴とする請求項１ないし３のうちいずれか１項に記載のレンズ装置。
【発明の詳細な説明】
【技術分野】
【０００１】
本発明は、レンズ装置に係り、特に光軸方向の移動可能なレンズの光軸方向における位置を検出するレンズ位置検出構造に関する。
【背景技術】
【０００２】
従来、テレビの取材等で使用される持ち運び可能なＥＮＧ(Electronic News Gathering)カメラに用いられるレンズ装置が知られている（特許文献１）。また、変倍レンズの位置を検出する変倍レンズ位置検出手段を備えたレンズ装置が知られている（特許文献２）。また、プリント基板の表面に設けた抵抗体に接点が摺動する構造を有するポテンショメータ基板が知られている（特許文献３）。
【先行技術文献】
【特許文献】
【０００３】
【特許文献１】特開２００３−２９１２３号公報
【特許文献２】特開２０００−３２９９９１号公報
【特許文献３】特開２００３−２２４００３号公報
【発明の概要】
【発明が解決しようとする課題】
【０００４】
レンズ鏡胴本体内のレンズの位置を検出するための抵抗体基板（いわゆるポテンショメーター基板）をレンズ鏡胴本体の外側に取付ける際に、抵抗体基板の外周端面からゴミが脱落し、脱落したゴミがレンズに付着したりレンズ鏡胴本体内に入り込んでしまうといった問題がある。その一方で、外周端面からゴミが脱落しないような材質の基板は一般に高価である。
【０００５】
本発明はこのような事情に鑑みてなされたもので、レンズ鏡胴本体内のレンズの位置を検出するための抵抗体基板をレンズ鏡胴本体の外側に配設する際に、抵抗体基板の外周端面からゴミが脱落しない構造を有するレンズ装置を提供することを目的とする。
【課題を解決するための手段】
【０００６】
前記目的を達成するために、本発明は、レンズ鏡胴本体に対して光軸方向に移動自在に配設されたレンズと、前記レンズの光軸方向における位置を検出するレンズ位置検出手段とを備えたレンズ装置において、前記レンズ位置検出手段は、前記レンズを保持する移動枠の外周に突設された移動接点部と、前記移動接点部が摺動する抵抗体を含む基板と、前記基板を保持するとともに、前記レンズ鏡胴本体の外周に取付けられた枠体と、を有し、前記枠体は、前記移動接点部を前記光軸方向に移動自在に挿通させて前記移動接点部を前記基板の前記抵抗体に接触させるための長孔と、前記基板の外周端面を囲む側壁部とを含むことを特徴とするレンズ装置を提供する。
【０００７】
本発明によれば、移動枠の外周に突設された移動接点部がレンズの移動に伴ってレンズ鏡胴本体の外側の抵抗体に対し摺動することで、光軸方向におけるレンズの絶対位置を容易に検出することができる。しかも、抵抗体を含む基板（抵抗体基板）の外周端面が枠体（抵抗体基板固定枠）の側壁部によって囲まれているので、組立時に基板の外周端面を手等で触れることがなくなり、基板の外周端面からのゴミの脱落を防ぐことができる。
【０００８】
例えば、前記基板は、ガラスエポキシ樹脂を含む。
【０００９】
本発明の一実施態様では、前記基板の全外周端面と前記枠体の前記側壁部との間に隙間が設けられ、該隙間に充填材が充填されていることを特徴とする。即ち、基板の全外周端面と枠体の側壁部との間の隙間に充填材が充填されているので、組立時に基板の外周端面からのゴミの脱落を確実に防ぐことができる。
【００１０】
例えば、前記レンズは、変倍レンズである。即ち、変倍レンズの光軸方向における絶対位置を検出する。他のレンズ（例えばフォーカスレンズ）の光軸方向における絶対位置を検出する構成にしてもよい。
【発明の効果】
【００１１】
本発明によれば、光軸方向におけるレンズの絶対位置を検出できるとともに、レンズ鏡胴本体内のレンズの位置を検出するための抵抗体基板をレンズ鏡胴本体の外側に配設する際に、抵抗体基板の外周端面からのゴミが脱落しないようにすることができる。
【図面の簡単な説明】
【００１２】
【図１】本発明に係るレンズ装置を側面から見た断面図
【図２】抵抗体基板固定枠を取付けたレンズ鏡胴本体を後方から見た斜視図
【図３】抵抗体基板及び移動接点部及びその周辺部を示す側面図
【図４】図３の移動接点部及びその周辺部を拡大して示す拡大図
【図５】抵抗体基板及び抵抗体基板固定枠を示す分解斜視図
【図６】抵抗体基板を抵抗体基板固定枠の凹部に落とし込んだ状態を示す斜視図
【図７】抵抗体基板固定枠を取り付ける前のレンズ鏡胴本体を後方から見た斜視図
【図８】抵抗体基板及び抵抗体基板固定枠の長手方向における断面図
【発明を実施するための形態】
【００１３】
以下、添付図面に従って本発明の実施の形態について、説明する。
【００１４】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００１５】
図１において、レンズ装置１は、主として前枠１０、前固定環１２、第１本体環１４、第２本体環１６、後固定環１８、マウント取付枠２０、及び、マウント環２２によって、略円筒状に構成されている。
【００１６】
第１本体環１４の外周前方側に前固定環１２がねじにより固定され、前固定環１２の前方に前枠１０がねじにより固定されている。また、第１本体環１４の外周後方側に第２本体環１６が、第２本体環１６の後方に後固定環１８が、後固定環１８の後方にマウント取付枠２０が、マウント取付枠２０の後方にマウント環２２が、それぞれねじにより固定されている。
【００１７】
尚、前枠１０には、レンズフード２４が装着できるようになっている。また、レンズ装置１は、マウント環２２を介してレンズ交換式のカメラ本体に装着される。
【００１８】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び、後マスターレンズ（第５群レンズ）３８の５群から構成されている。また、前マスターレンズ３４の直前には、虹彩絞り４０が設けられている。
【００１９】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００２０】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００２１】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００２２】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００２３】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００２４】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００２５】
前固定環１２の外周部には、第１フォーカスリング７０及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００２６】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００２７】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。
【００２８】
上記構成のレンズ装置１の側面には、ねじ孔８０、８２を介してグリップ部を兼ねた駆動部（図示せず）が取り付けられる。
【００２９】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００３０】
＜各種の検出手段＞
図２は、第１本体環１４（レンズ鏡胴本体）を後方（アイリスリング６０側）から観た斜視図である。図２にて、第１本体環１４の外周には、光軸方向に沿って、ズームレンズ３２の位置を検出するためのリニアポテンショメータ（ズームリニアＰＯＴ）としての抵抗体基板１１０を保持した抵抗体基板固定枠１２０が取付けられている。尚、抵抗体基板１１０及び抵抗体基板固定枠１２０の詳細については、後述する。
【００３１】
抵抗体基板１１０は、カム筒４８の回転によりズームレンズ３２が光軸方向に移動すると、その移動位置に対応した位置信号（絶対位置を示す信号）をリード線を介して駆動部に出力する。
【００３２】
カム筒４８の後端面には、Ｎ極、Ｓ極が着磁された磁気リング８４が接着されており、第１本体環１４には、磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００３３】
尚、ズームリニアＰＯＴの出力は、電源投入時に使用され、その後は、ズーム位置検出用のＭＲセンサの出力が使用される。
【００３４】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００３５】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００３６】
これにより、駆動部は、第１フォーカスリング７０の相対的な回転量を検知することができるとともに、第２フォーカスリング７２の絶対的な回転位置を検知することができる。
【００３７】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００３８】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００３９】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４０】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００４１】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００４２】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００４３】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００４４】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００４５】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００４６】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００４７】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００４８】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００４９】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００５０】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００５１】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００５２】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００５３】
即ち、駆動部は、ズーム操作前の現在のズームレンズ３２のズーム位置を、電源投入時の抵抗体基板１１０（ズームリニアＰＯＴ）の出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００５４】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００５５】
以上のように、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００５６】
［実施の形態］
次に、上記構成のレンズ装置１に適用されたレンズ位置検出構造について詳述する。尚、以下では絶対位置検出用のズームリニアＰＯＴ（抵抗体基板１１０）に関する構造について説明し、ＭＲセンサに関する構造についての説明を省略する。
【００５７】
図３は、抵抗体基板１１０及び移動接点部１３０及びその周辺部を示す側面図である。図４は、図３の移動接点部１３０及びその周辺部を拡大して示す拡大図である。尚、図１及び図２に示した要素には同じ番号を付してあり、既に説明した内容の説明を省略する。
【００５８】
図４に示すように、抵抗体基板１１０は、ガラスエポキシ樹脂を基材１１１とし、基材１１１の一方の面に抵抗体１１２が形成されている。移動接点部１３０は、移動枠４６の外周に突設された突設体１３２と、抵抗体基板１１０の抵抗体１１２に対し摺動自在に接触するブラシ１３４（摺動接点）と、ブラシ１３４を突設体１３２に対し固定する固定部材１３６とを含んで構成されている。移動接点部１３０は、図３に示すように、レンズ枠４２を介してズームレンズ３２を保持した移動枠４６の外周に突設され、移動枠４６及びレンズ枠４２及びズームレンズ３２とともに光軸０方向に沿って移動し、抵抗体基板１１０の抵抗体１１２に対し摺動する。
【００５９】
図５は、抵抗体基板１１０及び抵抗体基板固定枠１２０を示す分解斜視図である。
【００６０】
図５に示すように、抵抗体基板固定枠１２０は、図３の移動接点部１３０をズームレンズ３２の光軸０方向に移動自在に挿通させて移動接点部１３０のブラシ１３４を抵抗体基板１１０の抵抗体１１２に接触させるための長孔１２１と、抵抗体基板１１０の外周端面を囲む側壁部１２２と、側壁部１２２から側壁部１２２の内側に向けて張り出して抵抗体基板１１０の全外周縁を支持する内フランジ１２３とを含んで構成されている。言い換えると、抵抗体基板固定枠１２０に凹部１６０が形成され、凹部１６０の底面に長孔１２１が形成され、その凹部１６０に抵抗体基板１１０を落とし込む構造になっている。
【００６１】
また、抵抗体基板固定枠１２０には、抵抗体基板１１０を抵抗体基板固定枠１２０に対し位置決めするためのボス１２４と、抵抗体基板１１０を抵抗体基板固定枠１２０にネジ止めするためのネジ孔１２５と、抵抗体基板固定枠１２０を本体環１４にネジ止めするためのネジ孔１２６とが形成されている。抵抗体基板１１０には、抵抗体基板固定枠１２０のボス１２４に対応するボス孔１１４と、抵抗体基板１１０を抵抗体基板固定枠１２０にネジ止めするためのネジ孔１１５と、抵抗体基板固定枠１２０の符号１２６のネジ孔に対応するネジ孔１１６とが形成されている。また、抵抗体基板固定枠１２０の本体環１４に対する配置面１２７には、図２の本体環１４の外周面のリブ１４２に対応する形状の溝部１２８が形成されている。
【００６２】
抵抗体基板固定枠１２０の凹部１６０の長手方向幅は抵抗体基板１１０の長手方向幅よりも大きく、且つ、抵抗体基板固定枠１２０の凹部１６０の短手方向幅は抵抗体基板１１０の短手方向幅よりも大きい。
【００６３】
抵抗体基板１１０には、ズームレンズ３２の光軸０方向における絶対位置を信号値として取り出すための電極端子１１９が配設されている。この電極端子１１９には図２のコネクタ９４が接続される。
【００６４】
移動接点部１３０がズームレンズ３２とともに光軸０方向において移動すると、移動接点部１３０のブラシ１３４が抵抗体１１２に対し摺動し、電極端子１１９間の抵抗値がブラシ１３４の光軸０方向における位置に応じて（即ちズームレンズ３２の光軸０方向における位置に応じて）、変化する。
【００６５】
本実施形態では、抵抗体基板１１０及び抵抗体基板固定枠１２０及び移動接点部１３０を含んで、ズームレンズ３２の光軸方向における絶対位置を検出するレンズ位置検出部１１が構成されている。
【００６６】
以下では、レンズ位置検出部１１及びその周辺部の組み立て方法について説明する。
【００６７】
まず、図５の抵抗体基板固定枠１２０の凹部１６０に抵抗体基板１１０を落とし込み、図６に示すように、抵抗体基板固定枠１２０のボス１２４に抵抗体基板１１０のボス孔１１４を嵌合させることで、抵抗体基板１１０を抵抗体基板固定枠１２０に対し位置決めする。
【００６８】
次に、抵抗体基板１１０を抵抗体基板固定枠１２０にネジ止めする。即ち、図６の符号１１５のネジ孔から図示を省略したネジを挿入して、抵抗体基板１１０を抵抗体基板固定枠１２０にネジ止めする。この状態にて、抵抗体基板１１０の全外周端面１１８と抵抗体基板固定枠１２０の側壁部１２２との間には、抵抗体基板１１０の全外周端面１１８にわたって均一な隙間１５０が形成される。
【００６９】
次に、隙間１５０に、充填材を充填する。例えば、隙間１５０に合成樹脂接着材を流し込む。これにより、抵抗体基板１１０の全外周端面１１８が完全に封止される。尚、充填材として、感光性硬化樹脂を用い、光を照射した時点で硬化させるようにしてもよい。
【００７０】
次に、抵抗体基板１１０が取り付けられた抵抗体基板固定枠１２０を、図７に示す本体環１４の外周面に配置する。ここで、抵抗体基板固定枠１２０の配置面１２７を本体環１４の外周の枠配置部１４６に係合させる。抵抗体基板固定枠１２０の溝部１２８が本体環１４のリブ１４２の一部に嵌合することで、抵抗体基板固定枠１２０がズームレンズ３２の光軸０方向において位置決めされる。図７に示すように、本体環１４に移動接点部１３０用の長孔１４４が形成されており、リブ１４２のうち本体環１４の長孔１４４に隣接する部分に、枠配置部１４６としての切り欠き１４６が形成されている。
【００７１】
次に、抵抗体基板固定枠１２０を本体環１４に対しネジ止めする。即ち、図６の抵抗体基板１１０の符号１１６のネジ孔１１６からネジ（図２の１４６）を挿入し、抵抗体基板固定枠１２０のネジ孔１２６を貫通させて、本体環１４に対しネジ止めする。
【００７２】
次に、図７のリード線９２を図６の抵抗体基板固定枠１２０のリード線係止部１２９に係止させ、リード線９２の端部に設けたコネクタ９４を、図６の抵抗体基板１１０の電極端子１１９に接続する。そうすると、図２に示した状態となる。
【００７３】
図８は、本体環１４の外周に抵抗体基板１１０及び抵抗体基板固定枠１２０を取付けた状態で、本体環１４及び抵抗体基板１１０及び抵抗体基板固定枠１２０を図２の８−８線にて切断した様子を示す。
【００７４】
なお、本例ではズームリニアＰＯＴにて電源投入時のズームレンズ３２の位置を検出するが、本発明はこのような場合に特に限定されず、電源投入後のどのような期間にて検出するようにしてもよい。
【００７５】
また、ズームレンズ３２（変倍レンズ）の位置を検出する場合を例に説明したが、本発明は他のレンズ（例えばフォーカスレンズ）の位置を検出場合にも適用できる。
【００７６】
本発明は、本明細書において説明した例や図面に図示された例には限定されず、本発明の要旨を逸脱しない範囲において、各種の設計変更や改良を行ってよいのはもちろんである。
【符号の説明】
【００７７】
１…レンズ装置、１４…本体環、３２…ズームレンズ（変倍レンズ）、４６…移動枠、１１０…抵抗体基板、１１４…抵抗体、１２０…抵抗体基板固定枠、１２１…抵抗体基板固定枠の長孔、１２２…抵抗体基板固定枠の側壁部、１２７…抵抗体基板固定枠の配置面、１３０…移動接点部、１５０…隙間、１６０…抵抗体基板固定枠の凹部
【図１】
2011033811.tif 000003
【図２】
2011033811.tif 000004
【図３】
2011033811.tif 000005
【図４】
2011033811.tif 000006
【図５】
2011033811.tif 000007
【図６】
2011033811.tif 000008
【図７】
2011033811.tif 000009
【図８】
2011033811.tif 000010